(57)【特許請求の範囲】
【請求項１】
液体カートリッジであって、
液体が貯留される液体貯留室と、
第１方向へ向かって上記液体カートリッジの外部に開口した液体供給口を介して、上記液体貯留室内に貯留された液体を上記液体カートリッジの外部へ供給する液体供給部と、
上記第１方向に視て環状であり且つ上記第１方向へ向かって開口する空間を形成する第１面と、
上記第１面よりも上記第１方向に、上記第１方向に視て環状でない第３面と、
形状、位置、または数の少なくとも一つが上記液体カートリッジの種類に対応している第１突起と、を備え、
上記第１突起の一部は、上記第１方向と直交する全方向において上記第１面に囲まれており、
上記第１突起の一部以外の部分は、上記第１方向と直交する第１直交方向、当該第１直交方向と逆方向の第２直交方向、並びに上記第１方向、当該第１直交方向、及び当該第２直交方向と直交する第３直交方向において、第３面に囲まれている液体カートリッジ。
【請求項２】
上記第１突起は、少なくとも２箇所において上記第１面と接続されている請求項１に記載の液体カートリッジ。
【請求項３】
上記第１面と接続されており、上記空間における上記第１方向と逆方向の第２方向の端部を閉じている第２面を備え、
上記第１突起は、上記第１面と上記第２面とに接続されている請求項１または２に記載の液体カートリッジ。
【請求項４】
上記第１突起の体積のうち、上記第１方向と直交する全方向において上記第１面に囲まれている部分の体積は、５割以上である請求項１から３のいずれかに記載の液体カートリッジ。
【請求項５】
上記第１面は、平面と曲面とを有し、
上記第１突起は、上記平面と上記曲面とに接続されている請求項１から４のいずれかに記載の液体カートリッジ。
【請求項６】
上記第１突起の上記第１方向と直交する断面は、矩形である請求項１から５のいずれかに記載の液体カートリッジ。
【請求項７】
上記第１突起の数は一つであり、
上記第１突起の上記液体カートリッジにおける位置は、上記液体カートリッジの種類に対応している請求項１から６のいずれかに記載の液体カートリッジ。
【請求項８】
上記第１面は、上記空間の上記第１方向と直交する第１直交方向の端部を閉じている第１部分と、上記空間の当該第１直交方向と逆方向の第２直交方向の端部を閉じている第２部分と、備え、
上記第１突起は、上記液体カートリッジが第１種類である場合に上記第１部分よりも上記第２部分に近い位置に形成されており、上記液体カートリッジが当該第１種類とは別の第２種類である場合に上記第２部分よりも上記第１部分に近い位置に形成されている請求項７に記載の液体カートリッジ。
【請求項９】
上記第１突起は、上記空間を、上記第１突起よりも上記第１直交方向に位置する部分と、上記第１突起よりも上記第２直交方向に位置する部分と、に区切っている請求項８に記載の液体カートリッジ。
【請求項１０】
上記液体貯留室が形成された内部ケースと、当該内部ケースを覆う外部ケースと、を備え、
上記第１面及び上記第１突起は、上記外部ケースに設けられている請求項１から９のいずれかに記載の液体カートリッジ。
【請求項１１】
上記第１面に囲まれていない第２突起を備え、
上記第１突起は、上記液体貯留室に貯留された液体の種類に応じて形状、位置、または数の少なくとも一つが設定されており、
上記第２突起は、上記液体貯留室に貯留された液体の初期容量に応じて形状、位置、または数の少なくとも一つが設定されている請求項１から１０のいずれかに記載の液体カートリッジ。
【請求項１２】
第１液体カートリッジと第２液体カートリッジとからなる一組の液体カートリッジであって、
上記第１液体カートリッジと上記第２液体カートリッジとの各々は、
液体が貯留される液体貯留室と、
第１方向へ向かって上記液体カートリッジの外部に開口した液体供給口を介して、上記液体貯留室内に貯留された液体を上記液体カートリッジの外部へ供給する液体供給部と、
上記第１方向に視て環状であり且つ上記第１方向に向かって開口する空間を形成する第１面と、
上記第１面よりも上記第１方向に、上記第１方向に視て環状でない第３面と、
第１突起と、を備え、
上記第１突起の一部は、上記第１方向と直交する全方向において上記第１面に囲まれており、
上記第１突起の一部以外の部分は、上記第１方向と直交する第１直交方向、当該第１直交方向と逆方向の第２直交方向、並びに上記第１方向、当該第１直交方向、及び当該第２直交方向と直交する第３直交方向において、第３面に囲まれており、
上記第１液体カートリッジに設けられた上記第１突起の形状、位置、または数の少なくとも一つは、上記第２液体カートリッジに設けられた上記第１突起の形状、位置、または数の少なくとも一つと異なる一組の液体カートリッジ。
【請求項１３】
上記第１液体カートリッジに設けられた上記第１突起の数は一つであり、
上記第２液体カートリッジに設けられた上記第１突起の数は一つであり、
上記第１液体カートリッジに設けられた上記第１突起の上記第１液体カートリッジにおける位置は、上記第２液体カートリッジに設けられた上記第１突起の上記第２液体カートリッジにおける位置と異なる請求項１２に記載の一組の液体カートリッジ。
【請求項１４】
上記第１液体カートリッジに設けられた上記第１面と、上記第２液体カートリッジに設けられた上記第１面との各々は、上記空間における上記第１方向と直交する第１直交方向の端部を閉じている第１部分と、上記空間における当該第１直交方向と逆方向の第２直交方向の端部を閉じている第２部分と、を備え、
上記第１液体カートリッジに設けられた上記第１突起は、上記第１部分よりも上記第２部分に近い位置に形成されており、
上記第２液体カートリッジに設けられた上記第１突起は、上記第２部分よりも上記第１部分に近い位置に形成されている請求項１３に記載の一組の液体カートリッジ。
【発明の詳細な説明】
【技術分野】
【０００１】
本発明は、内部に液体が貯留された液体カートリッジに関する。
【背景技術】
【０００２】
特許文献１乃至３に開示されたインクカートリッジは、貯留された液体の種類や、貯留された液体の量などに対応して、少なくとも一つの突起を有する識別構造を備えている。インクカートリッジは、当該インクカートリッジが備えた識別構造に対応した識別構造を有するカートリッジ装着部に装着可能である。一方、インクカートリッジが備えた識別構造に対応していない識別構造を有するカートリッジ装着部への当該インクカートリッジの装着はブロックされる。これにより、インクカートリッジが意図されないカートリッジ装着部へ装着されることが防止される。
【先行技術文献】
【特許文献】
【０００３】
【特許文献１】特開平２−２４３３５１号公報
【特許文献２】特開２００３−３４０４０号公報
【特許文献３】ＵＳ６，３６４，４７２Ｂ１
【発明の概要】
【発明が解決しようとする課題】
【０００４】
しかしながら、液体カートリッジの落下などによって、液体カートリッジの識別構造を構成する突起が地面などに衝突すると、当該突起が変形したり破損したりするおそれがある。また、液体カートリッジが袋に収容された状態で、当該袋の内部が減圧される場合、突起が、減圧によって収縮した袋から力を受けて、変形したり破損したりするおそれがある。また、液体カートリッジが意図されないカートリッジ装着部に装着されようとした場合、当該液体カートリッジの突起がカートリッジ装着部の識別構造を構成する突起などに衝突することによって、当該液体カートリッジの突起が変形したり破損したりするおそれがある。
【０００５】
本発明は、上記の事情に鑑みてなされたものであり、その目的は、液体カートリッジの種類に対応して設けられる突起の破損や変形を抑制することができる液体カートリッジを提供することにある。
【課題を解決するための手段】
【０００６】
(1)  本発明に係る液体カートリッジは、液体が貯留される液体貯留室と、第１方向へ向かって上記液体カートリッジの外部に開口した液体供給口を介して、上記液体貯留室内に貯留された液体を上記液体カートリッジの外部へ供給する液体供給部と、上記第１方向に視て環状であり且つ上記第１方向へ向かって開口する空間を形成する第１面と、形状、位置、または数の少なくとも一つが上記液体カートリッジの種類に対応している第１突起と、を備える。上記第１突起の少なくとも一部は、上記第１方向と直交する全方向において上記第１面に囲まれている。
【０００７】
上記構成によれば、第１突起の少なくとも一部が第１方向と直交する全方向において第１面に囲まれているため、液体カートリッジが落下などした際に、第１突起は、第１面によって保護される。これにより、第１突起の破損や変形を抑制することができる。
【発明の効果】
【０００８】
本発明によれば、液体カートリッジの種類に対応して設けられる突起の破損や変形を抑制することができる。
【図面の簡単な説明】
【０００９】
【図１】図１は、カートリッジ装着部１１０を備えたプリンタ１０の内部構造を模式的に示す断面図である。
【図２】図２は、カートリッジ装着部１１０Ａの外観構成を示す斜視図である。
【図３】図３は、インクカートリッジ３０Ａの外観構成を示す斜視図である。
【図４】図４は、インクカートリッジ３０Ａの前部カバー３２の外観構成を示す斜視図である。
【図５】図５は、インクカートリッジ３０Ａの内部構成を示す縦断面図である。
【図６】図６（Ａ）は、インクカートリッジ３０Ａの前部カバー３２の正面図であり、図６（Ｂ）は、図４のＶＩＢ−ＶＩＢ断面図である。
【図７】図７（Ａ）は、第１突起１６１を２つ備えたインクカートリッジ３０を模式的に示す正面図であり、図７（Ｂ）は、第１突起１６１を１つ備えたインクカートリッジ３０を模式的に示す正面図である。
【図８】図８（Ａ）は、屈曲した第１突起１６１を備えたインクカートリッジ３０を模式的に示す正面図であり、図８（Ｂ）は、屈曲した第１突起１６１を備えた別の種類のインクカートリッジ３０を模式的に示す正面図である。
【図９】図９は、カートリッジ装着部１１０Ｂの外観構成を示す斜視図である。
【図１０】図１０は、インクカートリッジ３０Ｂの外観構成を示す斜視図である。
【図１１】図１１（Ａ）は、インクカートリッジ３０Ｂの前部カバー３２の正面図であり、図１１（Ｂ）は、図１０のＸＩＢ−ＸＩＢ断面図である。
【発明を実施するための形態】
【００１０】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００１１】
また、以下の説明では、インクカートリッジ３０がカートリッジ装着部１１０に挿入される方向が挿入方向５１（第１方向の一例）と定義される。また、挿入方向５１と反対方向であって、インクカートリッジ３０がカートリッジ装着部１１０から脱抜される方向が脱抜方向５２（第２方向の一例）と定義される。本実施形態において、挿入方向５１及び脱抜方向５２は水平方向であるが、挿入方向５１及び脱抜方向５２は水平方向でなくてもよい。
【００１２】
また、挿入方向５１及び脱抜方向５２に直交する方向が上方向５４と定義される。また、上方向５４と反対方向が下方向５３と定義される。本実施形態において上方向５４が鉛直上方であり、下方向５３が鉛直下方であるが、上方向５４及び下方向５３は鉛直方向でなくてもよい。
【００１３】
また、挿入方向５１及び下方向５３と直交する方向が、右方向５５及び左方向５６と定義される。より具体的には、インクカートリッジ３０がカートリッジ装着部１１０の装着姿勢（使用姿勢）にある状態において、インクカートリッジ３０を挿入方向５１に視た場合において、右に延びる方向が右方向５５と定義され、左に延びる方向が左方向５６と定義される。本実施形態において、右方向５５及び左方向５６は水平方向であるが、右方向５５及び左方向５６は水平方向でなくてもよい。
【００１４】
［プリンタ１０の概要］
図１に示されるように、プリンタ１０は、インクジェット記録方式に基づいて、記録用紙に対してインク滴を選択的に吐出することにより画像を記録するものである。プリンタ１０は、記録ヘッド２１と、インク供給装置１００と、記録ヘッド２１及びインク供給装置１００を接続するインクチューブ２０とを備えている。インク供給装置１００には、カートリッジ装着部１１０が設けられている。カートリッジ装着部１１０には、インクカートリッジ３０（液体カートリッジの一例）が装着され得る。カートリッジ装着部１１０の一面に、開口１１２が設けられている。インクカートリッジ３０は、開口１１２を通じてカートリッジ装着部１１０に挿入方向５１に挿入され、或いはカートリッジ装着部１１０から脱抜方向５２に抜き出される。
【００１５】
インクカートリッジ３０には、プリンタ１０で使用可能なインク（液体の一例）が貯留されている。カートリッジ装着部１１０へのインクカートリッジ３０の装着が完了した状態において、インクカートリッジ３０と記録ヘッド２１とは、インクチューブ２０で接続されている。記録ヘッド２１にはサブタンク２８が設けられている。サブタンク２８は、インクチューブ２０を通じて供給されるインクを一時的に貯留する。記録ヘッド２１は、インクジェット記録方式によって、サブタンク２８から供給されたインクをノズル２９から選択的に吐出する。具体的には、記録ヘッド２１に設けられたヘッド制御基板（不図示）から各ノズル２９に対応して設けられたピエゾ素子２９Ａに選択的に駆動電圧が印加される。これにより、ノズル２９から選択的にインクが吐出される。
【００１６】
プリンタ１０は、給紙トレイ１５と、給紙ローラ２３と、搬送ローラ対２５と、プラテン２６と、排出ローラ対２７と、排紙トレイ１６と、を備えている。給紙トレイ１５から給紙ローラ２３によって搬送路２４へ給送された記録用紙は、搬送ローラ対２５によってプラテン２６上へ搬送される。記録ヘッド２１は、プラテン２６上を通過する記録用紙に対してインクを選択的に吐出する。これにより、記録用紙に画像が記録される。また、これにより、カートリッジ装着部１１０に装着完了されたインクカートリッジ３０が保持するインクが、記録ヘッド２１によって消費される。プラテン２６を通過した記録用紙は、排出ローラ対２７によって、搬送路２４の最下流に設けられた排紙トレイ１６に排出される。
【００１７】
［インク供給装置１００］
図１に示されるように、インク供給装置１００は、プリンタ１０に設けられている。インク供給装置１００は、プリンタ１０が備える記録ヘッド２１にインクを供給するものである。インク供給装置１００は、インクカートリッジ３０を装着可能なカートリッジ装着部１１０を備えている。なお、図１においては、カートリッジ装着部１１０へのインクカートリッジ３０の装着が完了した状態が示されている。
【００１８】
［カートリッジ装着部１１０］
図２に示されるように、カートリッジ装着部１１０は、ケース１０１と、インクニードル１０２（図１参照）と、ロック部１４５（図１参照）と、接点ユニット１６０（図１参照）と、第１突部１２４と、第２突部１２５とを備えている。カートリッジ装着部１１０には、シアン、マゼンタ、イエロー、ブラックの各色に対応する４つのインクカートリッジ３０が収容可能である。なお、図２において、インクニードル１０２、ロック部１４５、及び接点ユニット１６０は省略されている。
【００１９】
なお、以下に説明する、インクニードル１０２、ロック部１４５、接点ユニット１６０、第１突部１２４、及び第２突部１２５等は、４つのインクカートリッジ３０の各々に対応して設けられている。つまり、本実施形態において、インクニードル１０２、ロック部１４５、接点ユニット１６０、第１突部１２４、及び第２突部１２５等は、それぞれ４つ設けられている。４つのインクニードル１０２、４つのロック部１４５、４つの接点ユニット１６０、４つの第１突部１２４、及び４つの第２突部１２５等は、それぞれ、右方向５５及び左方向５６に並んで配置されている。４つのインクニードル１０２、４つのロック部１４５、４つの接点ユニット１６０、４つの第１突部１２４、及び４つの第２突部１２５等は、それぞれ同一の構成を有する。そのため、以下では、１つのインクニードル１０２、１つのロック部１４５、１つの接点ユニット１６０、１つの第１突部１２４、及び１つの第２突部１２５等の構成が説明され、残り３つのインクニードル１０２、ロック部１４５、第１突部１２４、及び第２突部１２５等の構成の説明は省略される。
【００２０】
本実施形態において、第１突部１２４及び第２突部１２５の形状、位置、または数の少なくとも一つは、当該第１突部１２４及び第２突部１２５を備えるカートリッジ装着部１１０に装着されるインクカートリッジ３０の種類に対応している。例えば、インクカートリッジ３０のうち貯留されるインクの種類が染料（第１種類の一例）であるインクカートリッジ３０Ａが装着されるカートリッジ装着部１１０Ａ（図２参照）に設けられた第１突部１２４及び第２突部１２５の形状及び位置は、インクカートリッジ３０のうち貯留されるインクの種類が顔料（第２種類の一例）であるインクカートリッジ３０Ｂが装着されるカートリッジ装着部１１０Ｂ（図９参照）に設けられた第１突部１２４及び第２突部１２５の形状及び位置と異なる。
【００２１】
第１突部１２４及び第２突部１２５の形状、位置、及び数を除くと、各カートリッジ装着部１１０の構成は、装着されるインクカートリッジの種類にかかわらず同一である。よって、以下の説明では、第１突部１２４及び第２突部１２５以外の構成については、カートリッジ装着部１１０Ａの構成が説明され、カートリッジ装着部１１０Ｂの構成の説明は省略される。一方、第１突部１２４及び第２突部１２５の構成については、カートリッジ装着部１１０Ａ、１１０Ｂの双方の構成が説明される。
【００２２】
［ケース１０１］
図２に示されるように、カートリッジ装着部１１０Ａの筐体を形成するケース１０１は、天面１１５、底面１１６、終面１１７、及び開口１１２を有する箱形状である。天面１１５は、ケース１０１の内部空間の天部を画定している。底面１１６は、ケース１０１の内部空間の底部を画定している。終面１１７は、ケース１０１の内部空間の挿入方向５１の端部を画定している。終面１１７は、天面１１５と底面１１６とをつないでいる。開口１１２は、終面１１７と挿入方向５１及び脱抜方向５２に対向する位置に設けられている。開口１１２は、ユーザがプリンタ１０を使用するときにユーザに対面する面であるプリンタ１０のユーザインタフェース面に露出し得る。開口１１２を通じてケース１０１へインクカートリッジ３０Ａが挿抜される。インクカートリッジ３０Ａは、天面１１５及び底面１１６に設けられたガイド溝１０９に、インクカートリッジ３０Ａの上端部及び下端部が挿入されることによって、挿入方向５１及び脱抜方向５２へ案内される。ケース１０１には、内部空間を縦方向に長い４つの空間に仕切り分ける３つのプレート１０４が設けられている。このプレート１０４によって仕切り分けられた各空間それぞれにインクカートリッジ３０Ａが収容される。
【００２３】
本実施形態において、プレート１０４によって仕切り分けられた４つの空間に設けられた第１突部１２４及び第２突部１２５の各々の形状、位置、及び数は、同一である。なお、４つの空間に設けられた第１突部１２４及び第２突部１２５の各々の形状、位置、及び数は、異なっていてもよい。例えば、４つの第１突部１２４及び第２突部１２５の各々の形状、位置、また数の少なくとも一つは、４つの空間に装着されるインクカートリッジ３０に貯留されるインクの色に応じて異なっていてもよい。
【００２４】
［インクニードル１０２］
図１に示されるように、インクニードル１０２は、管状の樹脂からなり、ケース１０１の終面１１７の下部の開口１０３（図２参照）に設けられている。インクニードル１０２は、ケース１０１の終面１１７において、カートリッジ装着部１１０Ａに装着されたインクカートリッジ３０Ａのインク供給部３４（液体供給部の一例）に対応する位置に配置されている。インクニードル１０２は、ケース１０１の終面１１７から脱抜方向５２へ突出している。
【００２５】
インクニードル１０２の周囲には、円筒形状のガイド部１０５が設けられている。ガイド部１０５は、ケース１０１の終面１１７から脱抜方向５２へ突出し、その突出端が開口している。インクニードル１０２は、ガイド部１０５の中心に配置されている。ガイド部１０５は、インクカートリッジ３０Ａのインク供給部３４が内方に進入する形状である。
【００２６】
インクカートリッジ３０Ａがカートリッジ装着部１１０Ａに挿入方向５１へ挿入される過程において、つまりインクカートリッジ３０Ａがカートリッジ装着部１１０Ａ内の装着位置まで移動する過程において、インクカートリッジ３０Ａのインク供給部３４がガイド部１０５に進入する。さらにインクカートリッジ３０Ａがカートリッジ装着部１１０Ａに挿入方向５１に挿入されると、インクニードル１０２が、インク供給部３４に形成されたインク供給口７１（液体供給口の一例）に挿入される。これにより、インクニードル１０２とインク供給部３４とは連結される。そして、インクカートリッジ３０Ａの内部に形成された貯留室３６（液体貯留室の一例）に貯留されたインクは、インク供給部３４の内部に形成された筒壁７３の内部空間及びインクニードル１０２の内部空間を通じてインクニードル１０２に接続されたインクチューブ２０に流出される。なお、インクニードル１０２の先端は、平坦であってもよく、尖っていてもよい。
【００２７】
［ロック部１４５］
図１に示されるように、ロック部１４５が、ケース１０１の天面１１５付近且つ開口１１２付近において、ケース１０１の左方向５６及び右方向５５に延出されている。ロック部１４５は、左方向５６及び右方向５５に沿って延びる棒状の部材である。ロック部１４５は、例えば、金属の円柱である。ロック部１４５の左方向５６及び右方向５５の両端は、ケース１０１の左方向５６及び右方向５５の両端を確定している壁に固定されている。
【００２８】
ロック部１４５は、カートリッジ装着部１１０Ａに装着されたインクカートリッジ３０Ａを装着位置に保持するためのものである。インクカートリッジ３０Ａは、カートリッジ装着部１１０Ａに挿入されることにより、ロック部１４５に係合される。これにより、インクカートリッジ３０Ａは、カートリッジ装着部１１０Ａ内に保持される。
【００２９】
［接点ユニット１６０］
図１に示されるように、接点ユニット１６０が、ケース１０１の天面１１５に取り付けられている。接点ユニット１６０は、インクカートリッジ３０Ａがカートリッジ装着部１１０Ａに装着された状態において、少なくとも一部が後述するインクカートリッジ３０ＡのＩＣ基板６４の上方にＩＣ基板６４と対向する位置に設けられている。
【００３０】
接点ユニット１６０の下面には、４つの接点（不図示）が形成されている。４つの接点は、ＩＣ基板６４の上面に実装された４つの電極６５（図３参照）に対応して４つ形成されており、右方向５５及び左方向５６に並んで形成されている。なお、接点の個数及び電極６５の個数は４つに限らず任意である。
【００３１】
各接点は、電気回路を介してプリンタ１０の制御部１に電気的に接続されている。制御部１は、例えばＣＰＵ，ＲＯＭ，ＲＡＭなどからなるものである。接点と対応する電極６５とが電気的に導通されることによって、電圧が電極６５に印加されたり、電極６５がアースされたり、電極６５に電力が供給されたりする。接点と対応する電極６５との電気的な導通により、制御部１からインクカートリッジ３０ＡのＩＣに格納されたデータにアクセス可能となる。電気回路からの出力は制御部１に入力される。
【００３２】
［第１突部１２４及び第２突部１２５］
図２に示されるように、カートリッジ装着部１１０Ａにおいて、第１突部１２４が、ケース１０１の終面１１７における天面１１５付近に設けられている。第１突部１２４は、終面１１７から脱抜方向５２へ突出されている。第１突部１２４は、脱抜方向５２と直交する断面形状が、左上の角が丸められた四角形状であって、その最上部分から上方へ延びるリブが突出された形状である。第１突部１２４は、インクカートリッジ３０Ａがカートリッジ装着部１１０Ａに装着された状態において、つまりインクカートリッジ３０Ａが装着位置に位置する状態において、後述するインクカートリッジ３０Ａの空間９５（詳細には空間９５における第１突起１６１よりも左方向５６に位置する部分９５Ｂ、図３参照）へ挿入される。
【００３３】
カートリッジ装着部１１０Ａにおいて、第２突部１２５が、ケース１０１の終面１１７における天面１１５と底面１１６との中間付近且つプレート１０４によって仕切り分けられた空間の右端付近に設けられている。第２突部１２５は、終面１１７から脱抜方向５２へ突出されている。第２突部１２５は、脱抜方向５２と直交する断面形状が、右方向５５及び左方向５６に長い矩形の左端から上方向５４及び下方向５３に長い矩形が下方に延びた形状である。第２突部１２５は、インクカートリッジ３０Ａが装着位置に位置する状態において、後述するインクカートリッジ３０Ａの空間９４へ挿入される。
【００３４】
図９に示されるように、カートリッジ装着部１１０Ｂにおいて、第１突部１２４が、ケース１０１の終面１１７における天面１１５付近に設けられている。第１突部１２４は、終面１１７から脱抜方向５２へ突出されている。第１突部１２４は、脱抜方向５２と直交する断面形状が、右上の角が丸められた四角形状であって、その最上部分から上方へ延びるリブが突出された形状である。第１突部１２４は、インクカートリッジ３０Ｂが装着位置に位置する状態において、後述するインクカートリッジ３０Ｂの空間９５（詳細には空間９５における第１突起１６１よりも右方向５５に位置する部分９５Ａ、図１０参照）へ挿入される。
【００３５】
カートリッジ装着部１１０Ｂにおいて、第２突部１２５が、ケース１０１の終面１１７における天面１１５と底面１１６との中間付近且つプレート１０４によって仕切り分けられた空間の左端付近に設けられている。第２突部１２５は、終面１１７から脱抜方向５２へ突出されている。第２突部１２５は、脱抜方向５２と直交する断面形状が、右方向５５及び左方向５６に長い矩形の右端から上方向５４及び下方向５３に長い矩形が下方に延びた形状である。第２突部１２５は、インクカートリッジ３０Ｂが装着位置に位置する状態において、後述するインクカートリッジ３０Ｂの空間９４へ挿入される。
【００３６】
［インクカートリッジ３０］
インクカートリッジ３０はインクが貯留される容器である。本実施形態において、インクカートリッジ３０は、インクカートリッジ３０Ａ（第１液体カートリッジの一例）とインクカートリッジ３０Ｂ（第２液体カートリッジの一例）とからなる一組のインクカートリッジ（一組の液体カートリッジの一例）を構成している。
【００３７】
図３に示されるインクカートリッジ３０Ａに貯留されるインクの種類は、染料である。図１０に示されるインクカートリッジ３０Ｂに貯留されるインクの種類は、顔料である。なお、本実施形態において、インクカートリッジ３０Ａ、３０Ｂの種類は、貯留されるインクの種類によって識別されるが、インクの種類以外によって識別されてもよい。例えば、インクカートリッジ３０Ａ、３０Ｂの種類は、インクの色やインクの貯留量などによって識別されてもよい。
【００３８】
インクカートリッジ３０Ａ、３０Ｂは、後述する第１突起１６１及び第２突起１６２を除いて同構成である。よって、以下の説明では、第１突起１６１及び第２突起１６２以外の構成については、インクカートリッジ３０Ａの構成が説明され、インクカートリッジ３０Ｂの構成の説明は省略される。一方、第１突起１６１及び第２突起１６２の構成については、インクカートリッジ３０Ａ、３０Ｂの双方の構成が説明される。
【００３９】
なお、本実施形態では、本発明の液体カートリッジの一例として、インクカートリッジ３０Ａ、３０Ｂのみについて説明されるが、第１突起１６１や第２突起１６２の形状、位置、または数の少なくとも一つがインクカートリッジ３０Ａ、３０Ｂの何れとも異なるインクカートリッジが、本発明の液体カートリッジの一例であってもよく、本発明の一組の液体カートリッジを構成する液体カートリッジの一例であってもよい。
【００４０】
図１及び図３に示されるように、インクカートリッジ３０Ａは、貯留室３６（液体貯留室の一例）が形成された内部フレーム３５（内部ケースの一例）と、内部フレーム３５を覆う後部カバー３１及び前部カバー３２（外部ケースの一例）とを備えている。貯留室３６は、インクカートリッジ３０Ａの内部に形成されている空間である。なお、本実施形態において、貯留室３６は、内部フレーム３５によって形成されているが、後部カバー３１及び前部カバー３２などによって形成されていてもよい。
【００４１】
内部フレーム３５に後部カバー３１及び前部カバー３２が取り付けられて、インクカートリッジ３０Ａの外形が構成されている。内部フレーム３５は、後部カバー３１及び前部カバー３２の内部に収納される。インクカートリッジ３０Ａは、全体として、右方向５５及び左方向５６に沿った寸法が短く、下方向５３及び上方向５４、並びに挿入方向５１及び脱抜方向５２それぞれに沿った寸法が、右方向５５及び左方向５６に沿った寸法よりも大きい扁平形状である。インクカートリッジ３０Ａがカートリッジ装着部１１０Ａへ挿入されるときに挿入方向５１を向く前部カバー３２の面が前面１４０であり、脱抜方向５２を向く後部カバー３１の面が後面４１である。すなわち、後面４１は、前部カバー３２の前面１４０との間に貯留室３６を挟んで配置されている。
【００４２】
図１に示されるインクカートリッジ３０Ａの姿勢は、インクカートリッジ３０Ａが装着姿勢にあるときの姿勢である。すなわち、インクカートリッジ３０Ａは、後述されるように、前面１４０と、後面４１と、上面３９、１４１と、下面４２、１４２と、側面３７、１４３と、側面３８、１４４とを備えるが、図１に示されているインクカートリッジ３０Ａの姿勢は、後面４１から前面１４０に向かう方向が挿入方向５１に一致し、前面１４０から後面４１に向かう方向が脱抜方向５２に一致し、上面３９，１４１から下面４２，１４２に向かう方向が下方向５３に一致し、下面４２，１４２から上面３９，１４１に向かう方向が上方向５４に一致する姿勢である。また、インクカートリッジ３０Ａがカートリッジ装着部１１０Ａに挿入、装着されるときに、前面１４０は挿入方向５１を向き、後面４１は脱抜方向５２を向き、側面３７、１４３は右方向５５を向き、側面３８、１４４は左方向５６を向き、下面４２，１４２は下方向５３を向き、上面３９，１４１は、上方向５４を向く。
【００４３】
インクカートリッジ３０Ａは、カートリッジ装着部１１０Ａに装着可能であるが、カートリッジ装着部１１０Ｂなどの他のカートリッジ装着部へのインクカートリッジ３０Ａの装着は、当該他のカートリッジ装着部の第１突部１２４または第２突部１２５の少なくとも一方によって阻害される。一方、インクカートリッジ３０Ｂは、カートリッジ装着部１１０Ｂに装着可能であるが、カートリッジ装着部１１０Ａなどの他のカートリッジ装着部へのインクカートリッジ３０Ｂの装着は、当該他のカートリッジ装着部の第１突部１２４または第２突部１２５の少なくとも一方によって阻害される。
【００４４】
［内部フレーム３５］
各図には現れていないが、内部フレーム３５は、右方向５５及び左方向５６の一対の端面が開放された環状に構成されている。内部フレーム３５において、開放された一対の面がフィルム（不図示）によって封止されることにより、その内部にインクを貯留可能な貯留室３６が形成されている。図５に示されるように、貯留室３６を区画する前面４０は、内部フレーム３５が前部カバー３２に挿入された際に、前部カバー３２の前面１４０の裏面に対向する面である。また、前面４０には、インク供給部３４が設けられている。
【００４５】
［インク供給部３４］
図５に示されるように、インク供給部３４は、前部カバー３２の前面１４０の下部分において、内部フレーム３５の前面４０から挿入方向５１に突出されている。インク供給部３４は、円筒形状の外形をなしており、前面１４０に設けられた孔９７（図４参照）を通じて外方へ突出されている。インク供給部３４は、内部空間を有する円筒形状の筒壁７３と、筒壁７３に取り付けられたシール部材７６及びキャップ７９とを備えている。
【００４６】
筒壁７３は、貯留室３６の内部から外部に亘って延設されている。筒壁７３の脱抜方向５２の端部は、貯留室３６において開口している。筒壁７３の挿入方向５１の端部は、インクカートリッジ３０Ａの外部に開口している。これにより、筒壁７３は、内部空間を介して貯留室３６及びインクカートリッジ３０Ａの外部と連通している。つまり、インク供給部３４は、貯留室３６に貯留されたインクを筒壁７３の内部空間を通じてインクカートリッジ３０Ａの外部に供給する。筒壁７３の挿入方向５１の端には、シール部材７６及びキャップ７９が取り付けられている。
【００４７】
筒壁７３の内部空間には、弁体７７及びコイルバネ７８が収容されている。弁体７７及びコイルバネ７８は、インク供給部３４の状態を、筒壁７３の内部空間を通じて貯留室３６からインクカートリッジ３０Ａの外部にインクが流出される状態と、筒壁７３の内部空間からインクカートリッジ３０Ａの外部にインクが流出されない状態との間で選択的に切り換えるためのものである。
【００４８】
弁体７７は、挿入方向５１及び脱抜方向５２に沿って移動することにより、シール部材７６の中央に貫通されたインク供給口７１を開閉する。コイルバネ７８は弁体７７を挿入方向５１へ付勢している。したがって、外力が付与されていない状態において、弁体７７は、シール部材７６のインク供給口７１を閉じている。
【００４９】
シール部材７６は、筒壁７３の先端に配置されている。シール部材７６は、中央に貫通孔が形成された円盤形状の部材である。シール部材７６は、例えば、ゴムやエラストマのような弾性材料から形成されている。シール部材７６の中央が挿入方向５１及び脱抜方向５２に貫通されて筒状の内周面が形成され、その内周面によりインク供給口７１が形成されている。インク供給口７１の内径は、インクニードル１０２の外径より若干小さい。シール部材７６は、筒壁７３の外方に嵌め込まれたキャップ７９によって、筒壁７３の先端に液密に当接している。
【００５０】
弁体７７がインク供給口７１を閉じている状態において、インクカートリッジ３０Ａがカートリッジ装着部１１０Ａに挿入されると、インク供給口７１にインクニードル１０２が進入する。インクニードル１０２には、シール部材７６を弾性変形しつつ、その外周面がインク供給口７１を画定する内周面に液密に接触する。インクニードル１０２の先端がシール部材７６を通過して筒壁７３の内部空間へ進入すると、弁体７７に当接する。さらにインクカートリッジ３０Ａがカートリッジ装着部１１０Ａへ挿入されることにより、インクニードル１０２が弁体７７をコイルバネ７８の付勢力に抗して脱抜方向５２へ移動させる。これにより、貯留室３６に貯留されているインクが筒壁７３の内部空間を通じてインクニードル１０２の先端部分へ流通することが可能となる。各図には現れていないが、インクニードル１０２の先端部分に形成された貫通孔を通じて、筒壁７３の内部空間からインクニードル１０２の内部空間へインクが流通する。これにより、貯留室３６に貯留されたインクが、筒壁７３の内部空間、インク供給口７１、及びインクニードル１０２を通じて外部へ流出可能となる。
【００５１】
なお、インク供給部３４において、インク供給口７１を閉じる弁体７７は必ずしも設けられなくてもよい。例えば、インク供給口７１がフィルムなどで閉塞されており、インクカートリッジ３０Ａがカートリッジ装着部１１０Ａに装着されると、インクニードル１０２がフィルムを突き破ることによりインク供給口７１を通じてインクニードル１０２の先端部分が筒壁７３の内部空間へ進入する構成であってもよい。また、インク供給口７１は、シール部材７６の弾性により閉じており、インクニードル１０２が挿入されたときのみに、インクニードル１０２に押し拡げられるように形成されていてもよい。
【００５２】
［後部カバー３１］
図３に示されるように、後部カバー３１は、右方向５５及び左方向５６において互いに隔てて配置された側面３７、３８と、上方向５４を向く上面３９、下方向５３を向く下面４２とが後面４１から挿入方向５１に延設されて構成されており、挿入方向５１へ向かって開口された箱形である。後部カバー３１の内部には、開口を通じて内部フレーム３５（図５参照）が挿入される。すなわち、後部カバー３１は、内部フレーム３５の後部を覆っている。また、下面４２は、内部フレーム３５が挿入された状態において、上面３９との間に貯留室３６を挟んで配置されている。
【００５３】
後部カバー３１の上面３９には、凸部４３が設けられている。凸部４３は、上面３９における右方向５５及び左方向５６の中央において挿入方向５１及び脱抜方向５２に沿って延びている。凸部４３において脱抜方向５２を向く面がロック面１５１である。ロック面１５１は、下方向５３及び上方向５４に沿って延びている。ロック面１５１は、カートリッジ装着部１１０Ａにインクカートリッジ３０Ａが装着された状態において、ロック部１４５と脱抜方向５２へ向かって接触し得る面である。ロック面１５１がロック部１４５と脱抜方向５２へ向かって接触することにより、カートリッジ装着部１１０Ａに装着されたインクカートリッジ３０Ａがカートリッジ装着部１１０Ａに保持される。
【００５４】
凸部４３においてロック面１５１より挿入方向５１には、傾斜面１５５が設けられている。傾斜面１５５は、上方向５４且つ挿入方向５１を向いている。
【００５５】
後部カバー３１の上面３９において、ロック面１５１より脱抜方向５２には、操作部９０が設けられている。操作部９０は、インクカートリッジ３０Ａがカートリッジ装着部１１０Ａに装着された状態からインクカートリッジ３０Ａを取り出すために、ユーザによって操作される。
【００５６】
［前部カバー３２］
図３及び図４に示されるように、前部カバー３２は、右方向５５及び左方向５６において互いに隔てて配置された側面１４３、１４４と、下方向５３及び上方向５４において互いに隔てて配置された上面１４１及び下面１４２とが前面１４０から脱抜方向５２に延設されて構成されており、脱抜方向５２へ向かって開口された箱形である。前部カバー３２の内部には、開口を通じて内部フレーム３５が挿入される。すなわち、前部カバー３２は、内部フレーム３５のうちの後部カバー３１によって覆われていない前部を覆っている。
【００５７】
前部カバー３２の前面１４０の下部分には、脱抜方向５２へ貫通する孔９７が形成されている。孔９７は、上述したように、前部カバー３２に内部フレーム３５が挿入された状態において、内部フレーム３５のインク供給部３４を外部へ露出させるためのものである。したがって、孔９７は、内部フレーム３５のインク供給部３４に対応する位置、寸法、及び形状に形成されている。
【００５８】
前部カバー３２の前面１４０には、突出部８５が設けられている。突出部８５は、前部カバー３２の上部において挿入方向５１へ突出している。突出部８５の先端は前面１４０の一部をなす。突出部８５の先端に、脱抜方向５２へ凹んだ空間９５が設けられている。すなわち、空間９５は挿入方向５１へ向かってインクカートリッジ３０Ａの外部に開口する空間である。
【００５９】
前部カバー３２の上面１４１であって、突出部８５の上方には、ＩＣ基板６４が設けられている。なお、図４において、ＩＣ基板６４は省略されている。
【００６０】
［基板支持部１３０及びＩＣ基板６４］
図３に示されるように、前部カバー３２における空間９５の上方には、基板支持部１３０が設けられている。基板支持部１３０は、空間９５の上方向５４の端部を画定する部材である。基板支持部１３０の脱抜方向５２の端部は、前部カバー３２の上面１４１と繋がっている。
【００６１】
基板支持部１３０の上面には、ＩＣ基板６４が、接着等の公知の方法で取り付けられている。つまり、基板支持部１３０は、ＩＣ基板６４を支持している。
【００６２】
ＩＣ基板６４の上面、つまりＩＣ基板６４の上方向５４を向く面には、４つの電極６５が形成されている。各電極６５は、ＩＣ基板６４の上面において挿入方向５１及び脱抜方向５２に延設されており、且つ右方向５５及び左方向５６に互いに離間して設けられている。電極６５は、例えば、クロック用電極、データ用電極、電源電圧用電極及びグランド用電極等である。ＩＣ基板６４には、各電極６５に電気的に接続されたＩＣ（不図示）が実装されている。ＩＣは、半導体集積回路であり、インクカートリッジ３０Ａに関する情報（例えばロット番号や製造年月日などの情報）や、インクに関する情報（例えばインク色）を示すデータが読み出し可能に格納されている。
【００６３】
４つの電極６５は、インクカートリッジ３０Ａがカートリッジ装着部１１０Ａに装着された状態において、接点ユニット１６０に形成された４つの接点のそれぞれと導通する。
【００６４】
［空間９５］
図３及び図４に示されるように、前部カバー３２の突出部８５における前面１４０の上部には、脱抜方向５２へ凹む空間９５が形成されている。
【００６５】
図４及び図６に示されるように、空間９５は、第１面１７１、第２面１７２、及び第３面１７３によって形成されている。
【００６６】
図６に示されるように、第１面１７１は、挿入方向５１に視て環状である。環状は、円形状に限定されず、楕円形状や矩形状等であってもよい。本実施形態において、第１面１７１は、挿入方向５１に視て、上部がアーチ状になった四角形状であって、さらに、そのアーチの最上部分から上方へ矩形が延びた形状である。
【００６７】
詳細には、図６（Ｂ）に示されるように、第１面１７１は、下面１７１Ａと、側面１７１Ｂ、１７１Ｃと、アーチ状の曲面１７１Ｄと、曲面１７１Ｄの最上部分から上方に延びて空間９５の最上部を閉じる、上方へ凹んだ凹面１７１Ｅとで構成されている。下面１７１Ａは、右方向５５、左方向５６、挿入方向５１、及び、脱抜方向５２に延びる平面であって、空間９５の下方向５３の端部を閉じている。側面１７１Ｂ（第２部分の一例）は、上方向５４、下方向５３、挿入方向５１、及び、脱抜方向５２に延びる平面であって、空間９５の右方向５５（第２直交方向の一例）の端部を閉じている。側面１７１Ｃ（第１部分の一例）は、上方向５４、下方向５３、挿入方向５１、及び、脱抜方向５２に延びる平面であって、空間９５の左方向５６（第１直交方向の一例）の端部を閉じている。曲面１７１Ｄは、空間９５の右方向５５及び左方向５６の中央付近に向かうほど上方向５４に向かって高くなっている。また、曲面１７１Ｄは、右方向５５及び左方向５６の位置が同じ箇所では、挿入方向５１及び脱抜方向５２の位置が異なっても、上方向５４及び下方向５３の位置が変わらない。凹面１７１Ｅは、上方向５４、下方向５３、挿入方向５１、及び、脱抜方向５２に延び、右方向５５及び左方向５６に対向する２つの平面と、その２つの平面の上端をつなぐように、右方向５５、左方向５６、挿入方向５１、及び、脱抜方向５２に延びる平面とからなる。曲面１７１Ｄ及び凹面１７１Ｅは、空間９５の上方向５４の端部を閉じている。下面１７１Ａ、側面１７１Ｂ、側面１７１Ｃ、及び、凹面１７１Ｅの各面は平面である。つまり、第１面１７１は、平面と曲面１７１Ｄとを有している。曲面１７１Ｄは、側面１７１Ｂ、１７１Ｃと凹面１７１Ｅとを繋ぐように、上方向５４、下方向５３、右方向５５、及び左方向５６に交わる方向に延びる面である。これにより、曲面１７１Ｄの周辺において、空間９５を囲む壁を厚くすることができるため、インクカートリッジ３０Ａにおける空間９５周辺を強固にすることができる。
【００６８】
第２面１７２は、上方向５４、下方向５３、右方向５５、及び左方向５６に延びる平面であって、空間９５の脱抜方向５２の端部を画定する面である。第２面１７２は、挿入方向５１及び脱抜方向５２に交差する面である。第２面１７２の外縁の全部が、第１面１７１と接続されている。これにより、第２面１７２は、空間９５における脱抜方向５２の端部を閉じている。第２面１７２が設けられていることによって、インクカートリッジ３０Ａにおける空間９５周辺を強固にすることができる。
【００６９】
図３及び図４に示されるように、第３面１７３は、第１面１７１よりも挿入方向５１に設けられている。第３面１７３の脱抜方向５２の端部は、第１面１７１の挿入方向５１の端部と接続されている。第３面１７３と第１面１７１との接続部が、破線で示されている。本実施形態において、第３面１７３は、挿入方向５１に視て略矩形状であるが、空間９５の一部を上方向５４に開放させる面である。つまり、第３面１７３は、空間９５の上方向５４の右端部及び左端部、右方向５５、左方向５６、及び下方向５３の端部を画定する面である。すなわち、第３面１７３は、挿入方向５１に視て環状でない。
【００７０】
詳細には、図６（Ａ）に示されるように、第３面１７３は、上面１７３Ｄと、下面１７３Ａと、側面１７３Ｂ、１７３Ｃとで構成されている。上面１７３Ｄは、右方向５５、左方向５６、挿入方向５１、及び、脱抜方向５２に延びる平面であって、右方向５５及び左方向５６に離間した一対の面であり、空間９５の上方向５４の右端部及び左端部を閉じている。下面１７３Ａは、右方向５５、左方向５６、挿入方向５１、及び、脱抜方向５２に延びる平面であって、空間９５の下方向５３の端部を閉じている。側面１７３Ｂは、上方向５４、下方向５３、挿入方向５１、及び、脱抜方向５２に延びる平面であって、空間９５の右方向５５の端部を閉じている。側面１７３Ｃは、上方向５４、下方向５３、挿入方向５１、及び、脱抜方向５２に延びる平面であって、空間９５の左方向５６の端部を閉じている。なお、第３面１７３の形状は、図６（Ａ）に示された形状に限らない。例えば、第３面１７３は、挿入方向５１に視て、空間９５の右方向５５、左方向５６、及び上方向５４の端部を画定している、すなわち、閉じている一方で、下方向５３の端部を画定していない、すなわち下方向５３に開放していてもよい。
【００７１】
なお、空間９５の挿入方向５１の端部を画定、すなわち閉じる面はない。つまり、空間９５は、挿入方向５１へ向かって開口している。
【００７２】
［第１突起１６１］
図３及び図４に示されるように、第１突起１６１が、空間９５に設けられている。本実施形態において、第１突起１６１は、インクカートリッジ３０に一つ設けられているが、図７（Ａ）に示されるように、二つ設けられていてもよい。また、第１突起１６１は、三つ以上設けられていてもよい。なお、本実施形態において、第１突起１６１が複数ある場合において、複数の第１突起１６１は、空間９５を形成する第１面１７１、第２面１７２、及び第３面１７３以外で連結されていない場合に、異なる突起とされる。つまり、図７（Ａ）において、２つの第１突起１６１は、第１面１７１で連結されているが、第１面１７１、第２面１７２、及び第３面１７３以外で連結されていないために、異なる突起とされる。
【００７３】
第１突起１６１は、全体として、右方向５５及び左方向５６に沿った寸法が短いプレート形状である。図６（Ｂ）に示されるように、第１突起１６１の挿入方向５１と直交する断面は、矩形である。なお、第１突起１６１の形状は、プレート形状に限らず、例えば、図８に示されるように、挿入方向５１に視た断面が屈曲した形状であってもよい。
【００７４】
第１突起１６１の脱抜方向５２の端部は、第２面１７２と接続されている。これにより、第１突起１６１は、第２面１７２から挿入方向５１へ突出している。第１突起１６１の下方向５３の端部は、第１面１７１の下面１７１Ａ、及び第３面１７３の下面１７３Ａと接続されている。第１突起１６１の上方向５４の端部は、第１面１７１の曲面１７１Ｄ及び第３面１７３の上面１７３Ｄと接続されている。
【００７５】
つまり、第１突起１６１は、第１面１７１と第２面１７２とに接続されている。なお、第１突起１６１は、第１面１７１または第２面１７２の一方とのみ接続されていてもよい。第１突起１６１が第１面１７１とのみ接続されている場合、第１突起１６１は第１面１７１から空間９５へ向けて突出していることになる。
【００７６】
また、第１突起１６１は、平面である下面１７１Ａと曲面１７１Ｂとに接続されている。なお、第１突起１６１は、第１面１７１を構成する平面とのみ接続されていてもよいし、曲面１７１Ｂとのみ接続されていてもよい。
【００７７】
また、第１突起１６１は、下面１７１Ａと曲面１７１Ｂとの２箇所において第１面１７１と接続されているが、３箇所以上（例えば、下面１７１Ａ、側面１７１Ｂ、及び側面１７１Ｃ）において第１面１７１と接続されていてもよい。もちろん、第１突起１６１は、１箇所において第１面１７１と接続されていてもよい。
【００７８】
また、第１突起１６１は、空間９５の奥部で、つまり空間９５のうち第２面１７２に近い部分で、挿入方向５１と直交する全方向において第１面１７１に囲まれている。一方、第１突起１６１は、空間９５のうち第２面１７２から遠い部分で、挿入方向５１と直交する方向の一部において第３面１７３に囲まれている。詳細には、第１突起１６１は、右方向５５、左方向５６、及び下方向５３（第３直交方向の一例）において、第３面１７３（下面１７３Ａ、側面１７３Ｂ、側面１７３Ｃ）に囲まれている。つまり、第１突起１６１は、空間９５の一部では挿入方向５１と直交する全方向において第１面１７１に囲まれている一方で、空間９５の一部以外では挿入方向５１と直交する方向のうちの一部方向において第３面１７３に囲まれていない。
【００７９】
本実施形態では、第１突起１６１の体積のうち、挿入方向５１と直交する全方向において第１面１７１に囲まれている部分の体積は、第１突起１６１の体積に対して５割以上である。
【００８０】
なお、第１突起１６１は、空間９５の脱抜方向５２の端から挿入方向５１の端に亘って、挿入方向５１と直交する全方向において第１面１７１に囲まれていてもよい。
【００８１】
また、図６に示されるように、第１突起１６１は、空間９５を２つに区切っている。詳細には、第１突起１６１は、空間９５を、第１突起１６１よりも右方向５５に位置する部分９５Ａと、第１突起１６１よりも左方向５６に位置する部分９５Ｂとに区切っている。
【００８２】
第１突起１６１のインクカートリッジ３０における位置は、インクカートリッジ３０の種類に対応している。
【００８３】
図３、図４、及び図６に示されるように、貯留されるインクが染料であるインクカートリッジ３０Ａに設けられた第１突起１６１の位置は、側面１７１Ｃよりも側面１７１Ｂに近い位置に形成されている。これにより、空間９５における第１突起１６１よりも左方向５６に位置する部分９５Ｂが、カートリッジ装着部１１０Ａの第１突部１２４と対応する。その結果、インクカートリッジ３０Ａがカートリッジ装着部１１０Ａへ挿入されると、第１突部１２４が空間９５の部分９５Ｂに受容され、インクカートリッジ３０Ａのカートリッジ装着部１１０Ａへの装着は、第１突部１２４によって阻害されない。一方、空間９５における第１突起１６１よりも左方向５６に位置する部分９５Ｂは、カートリッジ装着部１１０Ｂの第１突部１２４と対応しない。その結果、インクカートリッジ３０Ａがカートリッジ装着部１１０Ｂへ挿入されると、第１突部１２４が第１突起１６１に脱抜方向５２に向かって接触し、インクカートリッジ３０Ａのカートリッジ装着部１１０Ｂへの装着は、第１突部１２４によって阻害される。
【００８４】
図１０及び図１１に示されるように、貯留されるインクが顔料であるインクカートリッジ３０Ｂに設けられた第１突起１６１の位置は、側面１７１Ｂよりも側面１７１Ｃに近い位置に形成されている。つまり、インクカートリッジ３０Ｂに設けられた第１突起１６１のインクカートリッジ３０Ｂにおける位置は、インクカートリッジ３０Ａに設けられた第１突起１６１のインクカートリッジ３０Ａにおける位置と異なる。これにより、空間９５における第１突起１６１よりも右方向５５に位置する部分９５Ａが、カートリッジ装着部１１０Ｂの第１突部１２４と対応する。その結果、インクカートリッジ３０Ｂがカートリッジ装着部１１０Ｂへ挿入されると、第１突部１２４が空間９５の部分９５Ａに受容され、インクカートリッジ３０Ｂのカートリッジ装着部１１０Ｂへの装着は、第１突部１２４によって阻害されない。一方、空間９５における第１突起１６１よりも右方向５５に位置する部分９５Ａは、カートリッジ装着部１１０Ａの第１突部１２４と対応しない。その結果、インクカートリッジ３０Ｂがカートリッジ装着部１１０Ａへ挿入されると、第１突部１２４が第１突起１６１に脱抜方向５２に向かって接触し、インクカートリッジ３０Ｂのカートリッジ装着部１１０Ａへの装着は、第１突部１２４によって阻害される。
【００８５】
以上説明したように、本実施形態において、インクカートリッジ３０の種類（貯留されるインクの種類）は、各インクカートリッジ３０に設けられた第１突起１６１の位置によって識別されるが、第１突起１６１の位置以外によって識別されてもよい。
【００８６】
例えば、インクカートリッジ３０の種類は、図８に示されるように、各インクカートリッジ３０に設けられた第１突起１６１の形状によって識別されてもよい。図８では、インクカートリッジ３０Ａ、３０Ｂに設けられた第１突起１６１は、何れも挿入方向５１に視て屈曲形状であるが、図８（Ａ）に示されるように、インクカートリッジ３０Ａに設けられた第１突起１６１は、挿入方向５１に視て、屈曲部から上方向５４及び左方向５６へ延びており、図８（Ｂ）に示されるように、インクカートリッジ３０Ｂに設けられた第１突起１６１は、挿入方向５１に視て、屈曲部から下方向５３及び右方向５５へ延びている。なお、各インクカートリッジ３０Ａ、３０Ｂが装着されるカートリッジ装着部１１０Ａ、１１０Ｂには、各第１突起１６１によって仕切られた空間９５の形状に対応する形状の第１突部１２４が設けられている。
【００８７】
また、例えば、インクカートリッジ３０の種類は、図７に示されるように、各インクカートリッジ３０に設けられた第１突起１６１の数によって識別されてもよい。図７（Ａ）では、インクカートリッジ３０Ａに設けられた第１突起１６１の数は二つである一方、図７（Ｂ）では、インクカートリッジ３０Ｂに設けられた第１突起１６１の数は一つである。なお、各インクカートリッジ３０Ａ、３０Ｂが装着されるカートリッジ装着部１１０Ａ、１１０Ｂには、各第１突起１６１によって仕切られた空間９５の形状及び数に対応する形状及び数の第１突部１２４が設けられている。
【００８８】
また、例えば、インクカートリッジ３０の種類は、各インクカートリッジ３０に設けられた第１突起１６１の位置、形状、及び数のうちの複数の要件によって識別されてもよい。具体的には、インクカートリッジ３０Ａに設けられた第１突起１６１の位置、形状、及び数のうちの複数の要件と、インクカートリッジ３０Ｂに設けられた当該複数の要件とが、異なっていることによって、インクカートリッジ３０Ａ、３０Ｂが識別されてもよい。
【００８９】
［第２突起１６２］
図３及び図１０に示されるように、第２突起１６２が、突出部８５の下端部に設けられている。第２突起１６２は、空間９５とは異なる箇所に設けられているため、第１面１７１に囲まれていない。
【００９０】
第２突起１６２のインクカートリッジ３０における位置及び形状は、インクカートリッジ３０の種類に対応している。
【００９１】
図３、図４、及び図６に示されるように、貯留されるインクの初期容量が第１量であるインクカートリッジ３０Ａに設けられた第２突起１６２は、突出部８５の下端部の左端部に設けられている。貯留されるインクの初期容量とは、インクカートリッジ３０が生産されて出荷される際に、当該インクカートリッジ３０に貯留されているインクの量である。インクカートリッジ３０Ａに設けられた第２突起１６２は、挿入方向５１に視て、突出部８５の下面８５Ａの左端部から下方向５３へ突出しており、突出先端において右方向５５へ屈曲している。一方、突出部８５の下端部の右端部には、空間９４が形成されている。
【００９２】
これにより、インクカートリッジ３０Ａがカートリッジ装着部１１０Ａに挿入されると、カートリッジ装着部１１０Ａにおけるプレート１０４によって仕切り分けられた空間の終面１１７の右端部に設けられた第２突部１２５が空間９４に受容される。その結果、インクカートリッジ３０Ａのカートリッジ装着部１１０Ａへの装着は、第２突部１２５によって阻害されない。一方、インクカートリッジ３０Ａがカートリッジ装着部１１０Ｂに挿入されると、第２突起１６２は、カートリッジ装着部１１０Ｂにおけるプレート１０４によって仕切り分けられた空間の終面１１７の左端部に設けられた第２突部１２５と接触する。その結果、インクカートリッジ３０Ａのカートリッジ装着部１１０Ｂへの装着は、第２突部１２５によって阻害される。
【００９３】
図１０に示されるように、貯留されるインクの初期容量が第１量よりも多い第２量であるインクカートリッジ３０Ｂに設けられた第２突起１６２は、突出部８５の下端部の右端部に設けられている。インクカートリッジ３０Ｂに設けられた第２突起１６２は、挿入方向５１に視て、突出部８５の下面８５Ａの右端部から下方向５３へ突出しており、突出先端において左方向５６へ屈曲している。一方、突出部８５の下端部の左端部には、空間９４が形成されている。
【００９４】
これにより、インクカートリッジ３０Ｂがカートリッジ装着部１１０Ｂに挿入されると、カートリッジ装着部１１０Ｂにおけるプレート１０４によって仕切り分けられた空間の終面１１７の左端部に設けられた第２突部１２５が空間９４に受容される。その結果、インクカートリッジ３０Ｂのカートリッジ装着部１１０Ｂへの装着は、第２突部１２５によって阻害されない。一方、インクカートリッジ３０Ｂがカートリッジ装着部１１０Ａに挿入されると、第２突起１６２は、カートリッジ装着部１１０Ａにおけるプレート１０４によって仕切り分けられた空間の終面１１７の右端部に設けられた第２突部１２５と接触する。その結果、インクカートリッジ３０Ｂのカートリッジ装着部１１０Ａへの装着は、第２突部１２５によって阻害される。
【００９５】
以上説明したように、本実施形態において、インクカートリッジ３０の種類（貯留されるインクの初期容量）は、各インクカートリッジ３０に設けられた第２突起１６２の位置及び形状によって識別されるが、第２突起１６２の位置及び形状以外によって識別されてもよい。
【００９６】
例えば、インクカートリッジ３０の種類は、各インクカートリッジ３０に設けられた第２突起１６２の位置のみ、または、形状のみによって識別されてもよい。また、インクカートリッジ３０の種類は、各インクカートリッジ３０に設けられた第２突起１６２の数によって識別されてもよい。また、インクカートリッジ３０の種類は、各インクカートリッジ３０に設けられた第２突起１６２の位置、形状、及び数のうちの複数の要件（具体的には、位置及び数、形状及び数、または位置と形状と数の全て）によって識別されてもよい。
【００９７】
なお、カートリッジ装着部１１０に設けられた第２突部１２５の位置、形状、及び数は、当該カートリッジ装着部１１０に装着されるインクカートリッジ３０に設けられた第２突起１６２の位置、形状、及び数と対応する。
【００９８】
［インクカートリッジ３０Ａがカートリッジ装着部１１０Ａへ装着される動作］
以下、インクカートリッジ３０Ａがカートリッジ装着部１１０Ａに装着される過程が説明される。
【００９９】
図５に示されるように、カートリッジ装着部１１０Ａに装着される前のインクカートリッジ３０Ａにおいて、弁体７７は、シール部材７６のインク供給口７１を閉じている。これにより、貯留室３６からインクカートリッジ３０Ａの外部へのインクの流通は遮断されている。
【０１００】
カートリッジ装着部１１０Ａの開口１１２を通じてケース１０１へインクカートリッジ３０Ａが挿入される。ユーザは、後部カバー３１の後面４１を押しつつインクカートリッジ３０Ａをカートリッジ装着部１１０Ａに対して挿入向き５１へ挿入する。インクカートリッジ３０Ａの下部分、すなわち前部カバー３２及び後部カバー３１のそれぞれ下部分は、ケース１０１の下方のガイド溝１０９に進入した状態となる。
【０１０１】
カートリッジ装着部１１０Ａへインクカートリッジ３０Ａが挿入方向５１へ更に挿入されると、図１に示されるように、インク供給部３４のキャップ７９（図５参照）がガイド部１０５に進入し始める。また、前部カバー３２の空間９５が第１突部１２４（図２参照）と対向して、第１突部１２４が空間９５に進入し始める。詳細には、第１突部１２４は、空間９５における第１突起１６１よりも左方向５６に位置する部分９５Ｂ（図６（Ｂ）参照）に進入する。このとき、第１突部１２４は、挿入方向５１及び脱抜方向５２において第１突起１６１と対向していないため、第１突起１６１と接触しない。また、第２突部１２５は、挿入方向５１及び脱抜方向５２において第２突起１６２と対向していないため、第２突起１６２と接触しない。
【０１０２】
カートリッジ装着部１１０Ａへインクカートリッジ３０Ａが挿入方向５１へ更に挿入されると、インク供給部３４のキャップ７９（図５参照）がガイド部１０５に進入し、かつインクニードル１０２がインク供給口７１へ進入して、弁体７７（図５参照）をコイルバネ７８（図５参照）の付勢力に抗してシール部材７６（図５参照）から離間させる。インクカートリッジ３０Ａには、コイルバネ７８の付勢力が脱抜方向５２へ付与される。
【０１０３】
また、接点ユニット１６０に設けられた接点の下方にＩＣ基板６４が到達する。ＩＣ基板６４が接点の下方に到達するまでは、接点の下端は、電極６５の上面よりも下方に位置する。よって、ＩＣ基板６４が接点１０６の下方に到達すると、ＩＣ基板６４は、接点を押して上方へ弾性変形させる。これにより、各電極６５が対応する接点と接触される。各電極６５が対応する接点と接触されることにより、ＩＣ基板６４のＩＣとプリンタ１０の制御部１との電気的な接続が確立される。そして、制御部１がＩＣへアクセスすることが可能となる。
【０１０４】
また、後部カバー３１の凸部４３がロック部１４５へ到達し、傾斜面１５５がロック部１４５に対して摺動する。
【０１０５】
コイルバネ７８の付勢力に抗して、インクカートリッジ３０Ａが挿入方向５１へ更に挿入されると、後部カバー３１の凸部４３の傾斜面１５５がロック部１４５よりケース１０１の終面１１７に近い位置となる。
【０１０６】
このとき、ロック面１５１は、脱抜方向５２へ向かってロック部１４５と向かい合う。ユーザがインクカートリッジ３０Ａを挿入方向５１へ押し込むことを止めると、インクカートリッジ３０Ａは、コイルバネ７８の付勢力によって脱抜方向５２へ移動する。ロック面１５１は脱抜方向５２へ向かってロック部１４５と向かい合っているので、インクカートリッジ３０Ａが脱抜方向５２へ若干移動すると、ロック面１５１がロック部１４５と当接する。これにより、インクカートリッジ３０Ａは、脱抜方向５２へ移動することが規制される。すなわち、インクカートリッジ３０Ａはカートリッジ装着部１１０Ａ内に位置決めされて装着が完了した状態となる。
【０１０７】
インクカートリッジ３０Ａがカートリッジ装着部１１０Ａから脱抜されるときには、ユーザは、操作部９０を下方へ押す。これにより、ロック面１５１がロック部１４５よりも下方に位置するようになる。その結果、コイルバネ７８の付勢力によって、インクカートリッジ３０Ａはカートリッジ装着部１１０Ａを脱抜方向５２へ移動する。これにより、少なくともインクカートリッジ３０Ａの後部カバー３１は、カートリッジ装着部１１０Ａのケース１０１の開口１１２より外方に位置する。ユーザは後部カバー３１を挟み持ってインクカートリッジ３０Ａをカートリッジ装着部１１０Ａから取り出すことができる。
【０１０８】
［本実施形態の作用効果］
本実施形態によれば、第１突起１６１の少なくとも一部が挿入方向５１と直交する全方向において第１面１７１に囲まれているため、インクカートリッジ３０が落下などした際に、第１突起１６１は、第１面１７１によって保護される。これにより、第１突起１６１の破損や変形を抑制することができる。
【０１０９】
また、本実施形態によれば、第１突起１６１が第１面１７１と複数箇所で接続されているため、第１突起１６１の第１面１７１との接続箇所が１箇所である構成よりも、第１突起１６１の破損や変形を抑制することができる。
【０１１０】
また、本実施形態によれば、第１突起１６１が第１面１７１及び第２面１７２と接続されているため、第１突起１６１が第１面１７１のみと１箇所で接続されている構成よりも、第１突起１６１の破損や変形を抑制することができる。
【０１１１】
また、本実施形態によれば、第１突起１６１の体積の半分以上が挿入方向５１と直交する全方向において第１面１７１に囲まれているため、第１突起１６１の多くの部分が第１面１７１によって保護される。これにより、第１突起１６１の破損や変形を抑制することができる。
【０１１２】
また、本実施形態によれば、第１突起１６１において、挿入方向５１と直交する全方向において第１面１７１に囲まれていない部分であっても、３方向（下方向５３、右方向５５、及び左方向５６）において第３面１７３に囲まれている。そのため、第１面１７１に加えて第３面１７３によっても、第１突起１６１の破損や変形を抑制することができる。
【０１１３】
また、本実施形態によれば、第１突起１６１の挿入方向５１と直交する断面は、矩形であるため、第１突起１６１の形状を簡略化できる。
【０１１４】
また、本実施形態によれば、第１突起１６１の数が一つであるため、第１突起１６１を複数設けることによる形状の複雑化を回避して、第１突起１６１の形状を簡略化できる。また、第１突起１６１の位置がインクカートリッジ３０の種類に対応しているため、インクカートリッジ３０が装着されるカートリッジ装着部１１０へのインクカートリッジ３０の意図されない装着を抑制することができる。
【０１１５】
また、本実施形態によれば、第１突起１６１の位置がインクカートリッジ３０に貯留されるインクが染料であるか顔料であるかによって異なるため、インクカートリッジ３０が装着されるカートリッジ装着部１１０へのインクカートリッジ３０の意図されない装着を抑制することができる。
【０１１６】
また、本実施形態によれば、空間９５が第１突起１６１によって小さな複数の部分９５Ａ、９５Ｂに区切られているため、インクカートリッジ３０の強度を強くすることができる。また、第１突起１６１は、空間９５を複数に区切るために第１面１７１の多くの部分と接続される。そのため、第１突起１６１の破損や変形を抑制することができる。
【０１１７】
また、本実施形態によれば、インクの種類によって形状、位置、または数の少なくとも一つが互いに異なる第１突起１６１が前部カバー３２に設けられている。そのため、インクの種類にかかわらず、内部フレーム３５を共通化することができる。
【０１１８】
また、インクカートリッジ３０が装着されるカートリッジ装着部１１０へのインクカートリッジ３０の意図されない装着が実行されると、装着されたインクカートリッジ３０に貯留されたインクの種類が意図されないものとなったり、装着されたインクカートリッジ３０に貯留されたインクの初期容量が意図されないものとなったりする。インクの種類とインクの初期容量とのうち、意図されないものとなるのがより好ましくないのは、インクの種類が意図されないものとなることである。本実施形態によれば、第１突起１６１が第１面１７１に囲まれている一方で、第２突起１６２は第１面１７１に囲まれていない。これにより、意図されないものとなるのがより好ましくないインクの種類に関する第１突起１６１を、インクの初期容量に関する第２突起１６２よりも厳重に保護することができる。
【０１１９】
また、本実施形態によれば、インクカートリッジ３０Ａ、３０Ｂのいずれにおいても、第１突起１６１の少なくとも一部が挿入方向５１と直交する全方向において第１面１７１に囲まれている。そのため、インクカートリッジ３０Ａ、３０Ｂが落下などした際に、第１突起１６１は、第１面１７１によって保護される。これにより、第１突起１６１の破損や変形を抑制することができる。
【０１２０】
また、本実施形態によれば、インクカートリッジ３０Ａ、３０Ｂにおいて、第１突起１６１の形状、位置、または数の少なくとも一つが互いに異なるため、インクカートリッジ３０Ａ、３０Ｂが装着されるカートリッジ装着部１１０Ａ、１１０Ｂへの各インクカートリッジ３０Ａ、３０Ｂの意図されない装着を防止することができる。
【０１２１】
また、本実施形態によれば、インクカートリッジ３０Ａ、３０Ｂのいずれにおいても、第１突起１６１が一つであるため、第１突起１６１の形状を簡略化できる。
【０１２２】
また、本実施形態によれば、インクカートリッジ３０Ａ、３０Ｂにおいて、第１突起１６１の位置が互いに異なるため、インクカートリッジ３０Ａ、３０Ｂが装着されるカートリッジ装着部１１０Ａ、１１０Ｂへの各インクカートリッジ３０Ａ、３０Ｂの意図されない装着を防止することができる。
【０１２３】
［変形例］
上記実施形態では、インクカートリッジ３０がカートリッジ装着部１１０へ水平方向に沿って装着されるが、インクカートリッジ３０がカートリッジ装着部１１０へ装着される際におけるインクカートリッジ３０の移動方向は、水平方向に限らない。例えば、インクカートリッジは、カートリッジ装着部へ鉛直方向に沿って装着されてもよい。
【０１２４】
また、上記実施形態では、インクを液体の一例として説明したが、本発明はこれに限定されない。例えば、インクに代えて、印刷時にインクに先立って記録用紙に吐出される前処理液を液体としてもよい。
【符号の説明】
【０１２５】
３０・・・インクカートリッジ（液体カートリッジ）
３２・・・前部カバー（外部ケース）
３４・・・インク供給部（液体供給部）
３５・・・内部フレーム（内部ケース）
３６・・・貯留室（液体貯留室）
５１・・・挿入方向（第１方向）
７１・・・インク供給口（液体供給口）
９５・・・空間
１６１・・・第１突起
１６２・・・第２突起
１７１・・・第１面
１７２・・・第２面
１７３・・・第３面
【図１】
0006589472.tif 000002
【図２】
0006589472.tif 000003
【図３】
0006589472.tif 000004
【図４】
0006589472.tif 000005
【図５】
0006589472.tif 000006
【図６】
0006589472.tif 000007
【図７】
0006589472.tif 000008
【図８】
0006589472.tif 000009
【図９】
0006589472.tif 000010
【図１０】
0006589472.tif 000011
【図１１】
0006589472.tif 000012